(57)【要約】  室内機（１）は、隔壁（６３ａ・７３ａ）で分離され、吸込み口との対向面からファンモータ（５１）の駆動軸（５３）の軸方向の一方の側面に繋がる風路を形成する第１開口部（６４・７４）と、吸込み口との対向面から駆動軸（５３）の軸方向の他方の側面に繋がる風路を形成する第２開口部（６５・７５）と、を有するモータカバー（５０）を備える。
2019087421.tif 000002
【特許請求の範囲】
【請求項１】
空気を吸込む吸込み口を少なくとも１つ有する筐体内に、左右方向に複数配列された遠心ファンと、上記遠心ファンを回転駆動させる駆動軸を左右に有し、隣り合う遠心ファン間に配置されたモータと、上記モータの外周面の一部を覆うモータカバーと、を備え、
上記モータカバーは、上記吸込み口に向かって突出して設けられた壁体を少なくとも１つ有し、
上記壁体は、上記吸込み口との対向面から上記駆動軸の軸方向の一方の側面に繋がる風路を形成する第１開口部と、上記第１開口部と隔壁で分離され、上記吸込み口との対向面から上記駆動軸の軸方向の他方の側面に繋がる風路を形成する第２開口部と、を有していることを特徴とする空気調和機の室内機。
【請求項２】
上記第１開口部は、上記壁体における上記吸込み口との対向面から上記駆動軸の軸方向の一方の側面にかけて切り欠かれた切欠部であり、上記第２開口部は、上記壁体における上記吸込み口との対向面から上記駆動軸の軸方向の他方の側面にかけて切り欠かれた切欠部であることを特徴とする請求項１に記載の空気調和機の室内機。
【請求項３】
上記第１開口部および上記第２開口部は、平面視で、上記駆動軸に直交する方向に並んで設けられていることを特徴とする請求項１または２に記載の空気調和機の室内機。
【請求項４】
上記第１開口部は、上記モータカバーを正面から見たときの奥行き方向に、上記駆動軸よりも前方に少なくとも１つ形成されており、上記第２開口部は、上記モータカバーを正面から見たときの奥行き方向に、上記駆動軸よりも後方に少なくとも１つ形成されていることを特徴とする請求項３に記載の空気調和機の室内機。
【請求項５】
上記吸込み口は、上記筐体の上面部および下面部の少なくとも一方に形成されており、上記壁体は、上記モータカバーの上部および下部の少なくとも一方に形成されていることを特徴とする請求項１〜４の何れか１項に記載の空気調和機の室内機。
【請求項６】
上記吸込み口は、上記筐体の上面部および下面部にそれぞれ形成されており、上記壁体は、上記モータカバーの上部および下部にそれぞれ形成されていることを特徴とする請求項１〜４の何れか１項に記載の空気調和機の室内機。
【請求項７】
上記壁体に、上記モータカバーを上記筐体に固定する固定部材が設けられていることを特徴とする請求項１〜６の何れか１項に記載の空気調和機の室内機。
【請求項８】
上記モータは、上記駆動軸の周囲に防振材を備え、
上記モータカバーは、上記モータの上半分の一部を覆う上部モータカバーと、上記モータの下半分の一部を覆う下部モータカバーと、を備え、上記上部モータカバーと上記下部モータカバーとで上記防振材を挟み込むことで、上記防振材とのみ接触した状態で上記モータを支持していることを特徴とする請求項１〜７の何れか１項に記載の空気調和機の室内機。
【発明の詳細な説明】
【技術分野】
【０００１】
本発明は、遠心ファンおよび遠心ファンを駆動するモータを備えた空気調和機の室内機に関する。
【背景技術】
【０００２】
空気調和機の室内機は、例えば特許文献１に開示されているように、内部に送風機を備えている。上記室内機は、送風機を回転させることにより、吸込み口から吸い込んだ空気を、熱交換器を介して、吹出し口から吹き出す。【０００３】
近年の空気調和機には、空気調和機能に加えて空気清浄機能を備えたものが開発されている。例えばＨＥＰＡフィルタ（High Efficiency Particulate Air Filter）は通風抵抗が大きく、空気清浄にＨＥＰＡフィルタを使用した場合には、吹出し口から吹き出す空気の風量が大幅に低下する。そこで、空気清浄にＨＥＰＡフィルタを使用する場合には、十分な風量（十分な空気の吸込み量）を確保する必要がある。【０００４】
一般的な空気調和機では、送風機として、クロスフローファンと称される横断流ファンを用いている。しかしながら、十分な風量を得るためには、送風機として、シロッコファンと称される遠心ファンを用いることが好ましい。【０００５】
特許文献１には、軸方向に、それぞれケーシング内に配置された遠心ファンを２つ配置し、２つのケーシングの間に設けられたモータで、２つの遠心ファンを回転する空気調和機の室内機が開示されている。
【先行技術文献】
【特許文献】
【０００６】
【特許文献１】日本国公開特許公報「特開平６−４２７６８号公報（１９９４年２月１８日公開）」
【発明の概要】
【発明が解決しようとする課題】
【０００７】
しかしながら、特許文献１では、２つのケーシングの間は仕切り材で仕切られており、各ケーシングの吸込部から吸入した空気を、遠心ファンの回転により加速して、各ケーシングの吐出部から吐出する。このため、特許文献１の構成では、モータの上方および下方に無駄なスペースが存在する。【０００８】
本発明の一態様は、遠心ファンを駆動するモータの上方または下方のスペースを、遠心ファンの空気の吸い込みに利用することができる空気調和機の室内機を提供することを目的とする。
【課題を解決するための手段】
【０００９】
上記の課題を解決するために、本発明の一態様にかかる空気調和機の室内機は、空気を吸込む吸込み口を少なくとも１つ有する筐体内に、左右方向に複数配列された遠心ファンと、上記遠心ファンを回転駆動させる駆動軸を左右に有し、隣り合う遠心ファン間に配置されたモータと、上記モータの外周面の一部を覆うモータカバーと、を備え、上記モータカバーは、上記吸込み口に向かって突出して設けられた壁体を少なくとも１つ有し、上記壁体は、上記吸込み口との対向面から上記駆動軸の軸方向の一方の側面に繋がる風路を形成する第１開口部と、上記第１開口部と隔壁で分離され、上記吸込み口との対向面から上記駆動軸の軸方向の他方の側面に繋がる風路を形成する第２開口部と、を有している。
【発明の効果】
【００１０】
本発明の一態様によれば、遠心ファンを駆動するモータの上方または下方のスペースを、遠心ファンの空気の吸い込みに利用することができる空気調和機の室内機を提供することができる。
【図面の簡単な説明】
【００１１】
【図１】本発明の実施形態１にかかる空気調和機の室内機の外観を示す斜視図である。
【図２】図１に示した空気調和機の室内機を側面方向から見たときの室内機の縦断面図である。
【図３】図２に示した主要部材を組み付けた状態における、本発明の実施形態１にかかる空気調和機の室内機の斜視図である。
【図４】本発明の実施形態１にかかる室内機本体部のキャビネットの外観を示す斜視図である。
【図５】キャビネット内に配置された、本発明の実施形態１にかかる送風機の要部の正面図である。
【図６】本発明の実施形態１にかかる空気調和機の室内機を正面方向から見たときの送風機の要部の縦断面図である。
【図７】（ａ）は、本発明の実施形態１にかかる、モータ本体を収容した状態のモータカバーの外観を示す正面図であり、（ｂ）は、本発明の実施形態１にかかる、モータ本体を収容した状態のモータカバーの外観を示す側面図であり、（ｃ）は、本発明の実施形態１にかかる、モータ本体を収容したモータカバーから上部モータカバーを外した状態を示す正面図である。
【図８】（ａ）〜（ｃ）は、本発明の実施形態１にかかる、モータ本体を収容した状態のモータカバーの外観を示す図であり、（ａ）は、上記モータカバーを右側の端面側から見たときの斜視図であり、（ｂ）は、上記モータカバーを左側の端面側から見たときの斜視図であり、（ｃ）は、上面図である。
【図９】本発明の実施形態２にかかる空気調和機の室内機を正面方向から見たときの送風機の要部の縦断面図である。
【図１０】（ａ）・（ｂ）は、本発明の実施形態２にかかる、モータ本体を収容した状態のモータカバーの外観を示す図であり、（ａ）は正面図であり、（ｂ）は側面図である。
【図１１】（ａ）〜（ｃ）は、本発明の実施形態２にかかる、モータ本体を収容した状態のモータカバーの外観を示す図であり、（ａ）は、上記モータカバーを右側の端面側から見たときの斜視図であり、（ｂ）は、上記モータカバーを左側の端面側から見たときの斜視図であり、（ｃ）は、下面図である。
【図１２】本発明の実施形態３にかかる空気調和機の室内機を正面方向から見たときの送風機の要部の縦断面図である。
【図１３】（ａ）・（ｂ）は、本発明の実施形態３にかかる、モータ本体を収容した状態のモータカバーの外観を示す図であり、（ａ）は正面図であり、（ｂ）は側面図である。
【図１４】（ａ）・（ｂ）は、本発明の実施形態３にかかる、モータ本体を収容した状態のモータカバーの外観を示す図であり、（ａ）は、上記モータカバーを右側の端面側から見たときの斜視図であり、（ｂ）は、上記モータカバーを左側の端面側から見たときの斜視図である。
【発明を実施するための形態】
【００１２】
〔実施形態１〕
本発明の一実施形態について、図１乃至図８の（ａ）〜（ｃ）に基づいて説明すれば、以下の通りである。図１は、本実施形態にかかる空気調和機の室内機１の外観を示す斜視図である。図２は、図１に示した空気調和機の室内機１を側面方向から見たときの室内機１の縦断面図である。図３は、図２に示した主要部材を組み付けた状態における、本実施形態にかかる空気調和機の室内機１の斜視図である。図４は、本実施形態にかかる室内機本体部２のキャビネット３０の外観を示す斜視図である。なお、本実施形態では、室内機１の上下方向（法線方向）の断面を示す図を、縦断面図と称する。
【００１３】
（室内機１の概略構成）
図１に示すように、空気調和機の室内機１は、室内機本体部２と、室内機本体部２の前面に設けられた導風板３と、を備えている。室内機本体部２は、図２に示すように、キャビネット３０と、送風機１３と、熱交換器１４と、ドレンパン２１と、を備えている。
【００１４】
室内機本体部２の上部には、第１吸込み口１１が設けられている。室内機本体部２の下部には、第２吸込み口１２が設けられている。室内機本体部２の前部には、吹出し口１７が設けられている。室内機本体部２は、第１吸込み口１１の内側（下側）に、第１フィルタ１５を有し、第２吸込み口１２の内側（上側）に第２フィルタ１６を有している。第１フィルタ１５は、例えばプレフィルタに相当する機能を有するフィルタであり、第２フィルタ１６よりも低性能であり、第２フィルタ１６よりも通風抵抗が小さいフィルタである。第２フィルタ１６は、例えばＨＥＰＡフィルタ（High Efficiency Particulate Air Filter）であり、第１フィルタ１５よりも高性能であり、第１フィルタ１５よりも通風抵抗が大きいフィルタである。
【００１５】
第１吸込み口１１から室内機１に吸い込まれた空気は、第１フィルタ１５を経た後、送風ファン４１により熱交換器１４へ吹き付けられ、吹出し口１７から吹き出される。第２吸込み口１２から室内機１に吸い込まれた空気は、第２フィルタ１６を経た後、送風ファン４１により熱交換器１４へ吹き付けられ、吹出し口１７から吹き出される。なお、送風機１３の詳細については後述する。
【００１６】
第１吸込み口１１には、第１吸込み口１１を開閉する開閉蓋１８が設けられている。開閉蓋１８は、キャビネット３０の上部に取り付けられている。開閉蓋１８は、空調モードで運転する場合に開状態となる。また、開閉蓋１８は、空気調和機が停止状態である場合、もしくは、空気調和機を、空気清浄モードで運転する場合に閉状態となる。
【００１７】
空調モードは空気清浄機能よりも空気調和機能を優先する場合の空気調和機の運転モードである。空気清浄モードは、空気調和機能よりも空気清浄機能を優先する場合の空気調和機の運転モードである。空調モードでは、空気は、主として第１吸込み口１１から吸い込まれる。一方、空気清浄モードでは、空気は、第２吸込み口１２のみから吸い込まれる。
【００１８】
導風板３は、吹出し口１７から吹き出された空気（気流）が、冷房運転では斜め上に向かい、暖房運転では斜め下に向かうように、配置される。
【００１９】
図２〜図４に示すように、キャビネット３０は、上面部３１と、背面部３２と、下面部３３と、を有している。上面部３１には第１吸込み口１１が設けられている。下面部３３は第２吸込み口１２が設けられている。
【００２０】
キャビネット３０は、送風機１３、熱交換器１４、およびドレンパン２１を支持している。キャビネット３０は筐体の一部であり、送風機１３は、キャビネット３０の内部に設けられている。導風板３、熱交換器１４、およびドレンパン２１は、キャビネット３０に組み付けられている。
【００２１】
熱交換器１４は、２個の熱交換器を上下に連結し、連結部が前方へ突出したＶ字状であり、送風機１３の前方（送風機１３よりも室内機１の前面側）に配置されている。
【００２２】
ドレンパン２１にはドレンパイプ２２が接続されている。熱交換器１４で生じた水は、ドレンパン２１で受け止められ、ドレンパイプ２２を通じて空気調和機から排出される。
【００２３】
（送風機１３の構成）
図５は、キャビネット３０内に配置された、本実施形態にかかる送風機１３の要部の正面図である。図６は、本実施形態にかかる空気調和機の室内機１を正面方向から見たときの送風機１３の要部の縦断面図である。図７の（ａ）は、本実施形態にかかる、モータ本体５２を収容した状態のモータカバー５０の外観を示す正面図であり、図７の（ｂ）は、本実施形態にかかる、モータ本体５２を収容した状態のモータカバー５０の外観を示す側面図であり、図７の（ｃ）は、本実施形態にかかる、モータ本体５２を収容したモータカバー５０から上部モータカバー７０を外した状態を示す正面図である。図８の（ａ）〜（ｃ）は、本実施形態にかかる、モータ本体５２を収容した状態のモータカバー５０の外観を示す図であり、図８の（ａ）は、上記モータカバー５０を右側の端面側から見たときの斜視図であり、図８の（ｂ）は、上記モータカバー５０を左側の端面側から見たときの斜視図であり、図８の（ｃ）は、上面図である。なお、図６は、モータカバー５０の第１開口部７４の位置で送風機１３を長手方向に切断したときの送風機１３の要部の縦断面図を示している。図５および図６では、ファンケーシング４７の図示を省略している。
【００２４】
図５および図６に示すように、送風機１３は、２つの送風ファン４１と、図示しない２つのファンケーシング４７（図２参照）と、ファンモータ５１（モータ）と、モータカバー５０と、を備えている。
【００２５】
２つの送風ファン４１は、キャビネット３０内に、室内機１の長手方向に沿って、左右方向に並設されている。図２に示すように、各ファンケーシング４７は、それぞれ、各送風ファン４１の外周面の一部を覆っている。図３、図４、図５の（ａ）〜（ｃ）、および図６の（ａ）〜（ｃ）に示すように、モータカバー５０は、ファンモータ５１の外周面の一部を覆っている。
【００２６】
以下、２つの送風ファン４１を区別する必要がある場合には、ファンモータ５１の左側の送風ファン４１を第１送風ファン４１ａと称し、ファンモータ５１の右側の送風ファン４１を第２送風ファン４１ｂと称する。一方、第１送風ファン４１ａと第２送風ファン４１ｂとを特に区別する必要がないときは、これら第１送風ファン４１ａおよび第２送風ファン４１ｂを、それぞれ、単に送風ファン４１と記す。
【００２７】
ファンモータ５１と２つの送風ファン４１とは、室内機１の長手方向に沿って直列に接続して配置されている。ファンモータ５１は、円筒形状を有するモータ本体５２の左右の端面にそれぞれ駆動軸５３を有する両軸モータである。
【００２８】
ファンモータ５１は、左右に隣り合う送風ファン４１の間に配置されており、駆動軸５３を介して、各送風ファン４１に、それぞれ回転力を伝達することで、各送風ファン４１を回転駆動する。図示はしないが、熱交換器１４は、送風機１３の前方に、２つの送風ファン４１に跨って配設される。
【００２９】
図５および図６に示すように、送風ファン４１は、２つの多翼ロータ４２（羽根車）を互いのディスク面４２ａで接続した構成のシロッコファン（遠心ファン）である。送風ファン４１としてシロッコファンを用いることで、クロスフローファンよりも大きい風量・風圧を得ることができる。
【００３０】
送風ファン４１は、軸方向の両方の側面に開口部４４を有している。送風ファン４１は、所定の方向に多翼ロータ４２が回転することにより、多翼ロータ４２における、駆動軸５３に平行な方向の開口部４４から空気を吸込み、多翼ロータ４２の外周面（つまり、回転面）の開口部４５から空気を吹き出す。したがって、ファンケーシング４７には、送風ファン４１の開口部４４と対向する位置に、それぞれ開口部４８（図２参照）が形成されている。
【００３１】
各送風ファン４１は、中心部に回転軸４３を有し、隣り合う送風ファン４１の回転軸４３の位置は、垂直方向において一致している。
【００３２】
また、各送風ファン４１は、ファンモータ５１の駆動軸５３を固定するためのボス４６を備えている。ボス４６は、例えばアルミニウム製の中空の直管で形成されている。ボス４６は、各多翼ロータ４２における開口部４４から一部突出するように形成されている。つまり、ボス４６は、多翼ロータ４２が回転する際に空気を吸込む、空気吸込み側の開口部４４から外側に突出するように形成されている。
【００３３】
各駆動軸５３および各回転軸４３は、左右の送風ファン４１のボス４６にそれぞれ挿入されている。各駆動軸５３および各回転軸４３は、各ボス４６に、例えば図示しないネジで固定されている。これにより、各送風ファン４１の回転軸４３は、各ファンモータ５１の駆動軸５３と連結されている。
【００３４】
ファンモータ５１の各駆動軸５３は、ボス４６を介して左右の送風ファン４１を回転可能に支持している。２個の送風ファン４１は、１個のファンモータ５１で駆動されて回転する。
【００３５】
モータ本体５２の左右の両端面から突出する駆動軸５３の周囲には、ファンモータ５１の振動の伝達を防止する防振材として、円盤状の防振ゴム５４が設けられている。
【００３６】
図７の（ａ）〜（ｃ）および図８の（ａ）〜（ｃ）に示すように、モータカバー５０は、下部モータカバー６０と上部モータカバー７０とで構成されている。下部モータカバー６０は、モータ本体５２の下半分の一部を覆うカバー体である。上部モータカバー７０は、モータ本体５２の上半分の一部を覆うカバー体である。
【００３７】
下部モータカバー６０は、内部に、モータ本体５２を収容する、半円筒形状のモータ収容部６１と、下部モータカバー６０と上部モータカバー７０とを連結させる連結部６２と、後述する固定部材６７と、を備えている。
【００３８】
上部モータカバー７０は、内部に、モータ本体５２を収容する、半円筒形状のモータ収容部７１と、下部モータカバー６０と上部モータカバー７０とを連結させる連結部７２と、モータ収容部７１の上面に設けられた壁体７３と、後述する固定部材７７・７８と、を備えている。壁体７３は、モータ収容部７１の上面に、駆動軸５３に直交する方向に沿って、第１吸込み口１１に向かって上方に突出して設けられている。
【００３９】
下部モータカバー６０と上部モータカバー７０とは、例えば、図示しないネジで連結されている。下部モータカバー６０は、連結部６２として、例えば、モータ収容部６１から水平に突出し、図示しないネジ穴を有するフリンジ部を有している。上部モータカバー７０は、連結部７２として、例えばネジ山に結合するネジ溝が設けられた筒状部６２ａを有し、モータ収容部７１から水平に突出するフリンジ部を有している。なお、図示はしないが、下部モータカバー６０および上部モータカバー７０の背面側にも、下部モータカバー６０と上部モータカバー７０とを連結させる図示しない連結部が設けられている。
【００４０】
図６に示すように、モータ収容部６１は、内部に、モータ本体５２を収容する半円筒形状の凹部６１ａを有している。上部モータカバー７０におけるモータ収容部７１は、内部に、モータ本体５２を収容する半円筒形状の凹部７１ａを有している。
【００４１】
下部モータカバー６０および上部モータカバー７０は、例えば樹脂で形成されている。図７の（ｂ）および図８の（ａ）・（ｂ）に示すように、モータ収容部６１の両端面には、ファンモータ５１の左右の防振ゴム５４が嵌め込まれる半円弧状の切欠部６１ｂが形成されている。切欠部６１ｂは、防振ゴム５４の外周の下半分の形状に合わせて切り欠かれている。モータ収容部７１の両端面には、ファンモータ５１の左右の防振ゴム５４が嵌め込まれる半円弧状の切欠部７１ｂが形成されている。切欠部７１ｂは、防振ゴム５４の外周の上半分の形状に合わせて切り欠かれている。切欠部６１ｂ・７１ｂは、下部モータカバー６０と上部モータカバー７０とを組み合わせることにより、防振ゴム５４とほぼ同じ大きさの円形状の穴になる。
【００４２】
ファンモータ５１の左右の防振ゴム５４を上部モータカバー７０と下部モータカバー６０とで上下方向に挟み込むことで、モータカバー５０は、ファンモータ５１を支持している。ファンモータ５１は、左右の防振ゴム５４のみでモータカバー５０と接触している。ファンモータ５１の駆動軸５３は、切欠部６１ｂ・７１ｂを通してモータカバー５０の外に引き出されている。
【００４３】
また、モータ収容部７１の上面の中央部には、図８の（ａ）〜（ｃ）に示すように、駆動軸５３に直交する方向に沿って、帯状に開口部７１ｃが設けられている。このため、モータ本体５２の上面の一部は、開口部７１ｃから露出している。なお、図示はしないが、モータ収容部６１の下面の中央部にも、駆動軸５３に直交する方向に沿って、図示しない帯状の開口部が設けられている。モータ本体５２の下面の一部は、モータ収容部６１の下面の中央部に設けられた図示しない開口部から露出している。
【００４４】
壁体７３は、第１吸込口１１からキャビネット３０内に吸い込んだ空気の流れを、隣り合う送風ファン４１の一方に向う流れと他方に向う流れとに分離してそれぞれの送風ファン４１に導く分離壁兼導風壁として機能する。また、壁体７３は、モータカバー５０とキャビネット３０とを固定する固定部材として機能する。
【００４５】
壁体７３には、モータカバー５０を正面から見たときの奥行き方向に、該奥行き方向の中央部を境にして手前側の右側面の一部が縦方向に切り欠かれた第１開口部７４と、奥側の左側面の一部が縦方向に切り欠かれた第２開口部７５と、が設けられている。なお、モータカバー５０を正面から見たときの奥行き方向とは、室内機１の前面側から背面側に向かう方向を示す。
【００４６】
第１開口部７４と第２開口部７５とは、隔壁７３ａで分離されている。隔壁７３ａは、平面視で駆動軸５３と一直線上に位置するように、駆動軸５３に沿って開口部７１ｃを跨いでいる。このため、第１開口部７４は、隔壁７３ａを挟んで、第２開口部７５よりも、室内機１の前面側に位置している。第２開口部７５は、隔壁７３ａを挟んで、第１開口部７４よりも、室内機１の背面側に位置している。
【００４７】
第１開口部７４は、平面視で、隔壁７３ａを奥側の壁部として、右側面の一部が開口された枠形状（言い換えれば、溝形状）を有している。第２開口部７５は、平面視で、隔壁７３ａを手前側の壁部として、左側面の一部が開口された枠形状（言い換えれば、溝形状）を有している。このため、壁体７３は、平面視で略逆Ｓ字形状を有している。
【００４８】
図６に示すように、第１開口部７４は、駆動軸５３の軸方向において、駆動軸５３の右側に配置された第２送風ファン４１ｂの一方の開口部４４側が開放されている。第２開口部７５は、駆動軸５３の軸方向において、駆動軸５３の左側に配置された第１送風ファン４１ａの一方の開口部４４側が開放されている。なお、第１開口部７４および第２開口部７５は、駆動軸５３の軸方向において、隣り合う送風ファン４１の開口部４４に面していることが、より望ましい。
【００４９】
また、第１開口部７４および第２開口部７５は、縦方向において、室内機本体部２の第１吸込み口１１に面して設けられている。つまり、第１開口部７４および第２開口部７５の上面（つまり、上側の開口端面）は、それぞれ、室内機本体部２の第１吸込み口１１に面して設けられている。
【００５０】
第１開口部７４および第２開口部７５の上面である、第１吸込み口１１側の開口端面は、それぞれ、空気の取込み口として機能する。また、第１開口部７４および第２開口部７５における、各送風ファン４１の開口部４４側の開口端面は、空気の取出口として機能する。
【００５１】
第１開口部７４は、壁体７３の上面（つまり、第１吸込み口１１との対向面）から右側面に繋がる第１風路を形成している。言い換えれば、第１開口部７４は、第１吸込み口１１との対向面に空気の取入口が形成され、一方の送風ファン４１の空気の吸込み口（開口部４４）側に、空気の取出口が形成された第１風路を形成している。
【００５２】
また、第２開口部７５は、壁体７３の上面から左側面に繋がる第２風路を形成している。言い換えれば、第２開口部７５は、第１吸込み口１１との対向面に空気の取入口が形成され、他方の送風ファン４１の空気の吸込み口（開口部４４）側に、空気の取出口が形成された第２風路を形成している。
【００５３】
これにより、第１送風ファン４１ａは、隔壁７３ａの奥側の第２開口部７５を介して第１吸い込み口１１から室内機本体部２内に取り込んだ空気を吸引することが可能となる。また、第２送風ファン４１ｂは、隔壁７３ａの手前側の第１開口部７４を介して第１吸い込み口１１から室内機本体部２内に取り込んだ空気を吸引することが可能となる。
【００５４】
送風ファン４１がファンモータ５１により回転すると、第１吸込み口１１から第１フィルタ１５を介して室内機本体部２に空気が吸い込まれる。第１吸込み口１１から室内機本体部２内に空気が吸い込まれると、モータカバー５０の外部およびファンケーシング４７の外部が正圧となり、モータカバー５０の内部およびファンケーシング４７の内部が負圧となる。
【００５５】
室内機本体部２内に吸い込まれた空気の一部は、モータカバー５０に設けられた第１開口部７４および第２開口部７５からモータカバー５０内に流入し、第１開口部７４内および第２開口部７５内を通って、駆動軸５３に平行な方向の開口部４４から、送風ファン４１に吸い込まれる。また、このとき、第１開口部７４および第２開口部７５から開口部７１ｃを通ってモータカバー５０内に流入した空気により、モータ本体５２が冷却される。ファンケーシング４７内に吸い込まれた空気は、送風ファン４１を構成する多翼ロータ４２の外周面の開口部４５から吹き出される。
【００５６】
また、図７の（ｂ）および図８の（ａ）・（ｂ）に示すように、モータ収容部７１および壁体７３における、キャビネット３０の背面部３２との対向面には、背面部３２にモータカバー５０を固定する固定部材７７がそれぞれ設けられている。固定部材７７は、モータカバー５０を、キャビネット３０の背面部３２にネジ止めするための螺着部材であってもよく、爪状の掛着部材であってもよい。
【００５７】
なお、図７の（ｂ）および図８の（ａ）・（ｂ）では、上述したように上部モータカバー７０の背面に固定部材７７が設けられている場合を例に挙げて図示している。しかしながら、固定部材７７は、下部モータカバー６０の背面に設けられていても構わない。
【００５８】
また、図６に示すように、壁体７３の上面には、モータカバー５０を、キャビネット３０の上面部３１に固定するための固定部材７８が設けられている。下部モータカバー６０の下面（すなわち、モータ収容部７１の下面）には、モータカバー５０を、キャビネット３０の下面部３３に固定するための固定部材６７が設けられている。なお、図７の（ａ）〜（ｃ）および図８の（ａ）〜（ｃ）では、固定部材６７・７７・７８の図示を省略している。
【００５９】
固定部材７８は、モータカバー５０を、キャビネット３０の上面部３１から吊り下げる吊着部材であってもよく、モータカバー５０を、キャビネット３０の上面部３１にネジ止めするための螺着部材であってもよい。また、固定部材６７は、モータカバー５０を、キャビネット３０の下面部３３にネジ止めするための螺着部材であってもよく、モータカバー５０を、キャビネット３０の下面部３３の一部に嵌合させる嵌着部材であってもよい。これら固定部材６７・７７・７８の種類および数、並びに、モータカバー５０とキャビネット３０の固定方法は、特に限定されない。
【００６０】
モータカバー５０は、これら固定部材６７・７７・７８により、上部が上記上面部３１と接し、下部が上記下面部３３と接し、背面（後部）が上記背面部３２と接している。
【００６１】
（効果）
上記構成の空気調和機によれば、モータカバー５０が上記壁体７３を有していることで、ファンモータ５１の上方のスペースを、送風ファン４１の空気の吸い込みに利用することができる。このため、送風ファン４１内に吸引する空気および該送風ファン４１を介して吹出し口１７から吹き出される空気の風量を増加させることができるともに、ファンモータ５１の上部を有効活用することができる。モータカバー５０に、第１開口部７４および第２開口部７５を有する上記壁体７３が設けられていない場合、ファンモータ５１の上方が無駄なスペースになってしまう。
【００６２】
また、上記構成の空気調和機によれば、第１開口部７４と第２開口部７５とが隔壁７３ａで分離されていることで、モータカバー５０の上部の第１吸込み口１１から室内機本体部２に吸い込んだ空気を、第１送風ファン４１ａおよび第２送風ファン４１ｂそれぞれに、均等かつ効率良く導くことができる。
【００６３】
第１開口部７４と第２開口部７５とが隔壁７３ａで分離されていない場合、モータカバー５０の上部の第１吸込み口１１から室内機本体部２に吸い込んだ空気に対し、第１送風ファン４１ａと第２送風ファン４１ｂとの両方から吸引が行われる。
【００６４】
この結果、第１送風ファン４１ａに吸引される空気と第２送風ファン４１ｂに吸引される空気とが衝突し、それぞれの空気が、第１送風ファン４１ａおよび第２送風ファン４１ｂにスムーズに吸引されない。また、衝突した空気が抵抗となるため、第１開口部７４と第２開口部７５とが隔壁７３ａで分離されている場合と比較して、同じ風量を得るための電力入力値が増大する。
【００６５】
また、第１送風ファン４１ａに吸引される空気と第２送風ファン４１ｂに吸引される空気とが衝突することで、第１送風ファン４１ａに吸引される風量と第２送風ファン４１ｂに吸引される風量とのバランスが崩れる。このように左右の送風ファン４１に吸引される風量のバランスが崩れると、熱交換器１４のうち、一方の送風ファン４１の前面に配置された部分のみが乾き易くなる。熱交換器１４には、風が均一に当たる前提で冷媒が流れている。このため、熱交換器１４のうち、一方の送風ファン４１の前面に配置された部分のみが早く乾くと、熱交換器１４の能力が低下するとともに、乾いた部分を空気が通過することで、吹出し口１７で結露が発生するおそれがある。
【００６６】
しかしながら、上述したように第１開口部７４と第２開口部７５とが隔壁７３ａで分離されていることで、第１送風ファン４１ａに吸引される空気と第２送風ファン４１ｂに吸引される空気とを分離することができる。このため、上記構成の空気調和機によれば、第１送風ファン４１ａおよび第２送風ファン４１ｂのそれぞれに空気がスムーズに吸引される。したがって、送風ファン４１内に吸引する空気および該送風ファン４１を介して吹出し口１７から吹き出される空気の風量を増加させることができる。
【００６７】
また、上記構成の空気調和機によれば、上述したように、第１開口部７４と第２開口部７５とが隔壁７３ａで分離されていない場合と比較して、風量を基準としたときの電力入力値を低下させることができる。このため、第１開口部７４と第２開口部７５とが隔壁７３ａで分離されていない場合と比較して、低消費電力化を図ることができる。
【００６８】
また、ファンモータ５１の位置を基準として左右の送風ファン４１の風量バランスの均一化を図ることができるので、熱交換器１４の能力の低下を押さえ、熱交換器１４の能力を十分に引き出すことができる。
【００６９】
また、モータカバー５０に上記壁体７３が設けられ、上記壁体７３に、モータカバー５０をキャビネット３０に固定する固定部材７７・７８が設けられていることで、モータカバー５０の強度を高め、かつ、モータカバー５０とキャビネット３０とを、強固に固定することができる。
【００７０】
（変形例１）
上述したように、本実施形態では、壁体７３に、駆動軸５３よりも前方の右側面の一部が縦方向に切り欠かれた第１開口部７４と、駆動軸５３よりも後方の左側面の一部が縦方向に切り欠かれた第２開口部７５と、が設けられている場合を例に挙げて説明した。しかしながら、壁体７３は、駆動軸５３よりも前方と、駆動軸５３よりも後方とで、左右異なる方向に開口していればよい。
【００７１】
このため、壁体７３には、駆動軸５３よりも前方の左側面の一部が縦方向に切り欠かれた開口部と、駆動軸５３よりも後方の右側面の一部が縦方向に切り欠かれた開口部と、が設けられていてもよい。言い換えれば、壁体７３には、奥行き方向に、平面視で、隔壁７３ａを奥側の壁部として、左側面の一部が開口された枠形状（溝形状）の開口部（切欠部）と、平面視で、隔壁７３ａを手前側の壁部として、右側面の一部が開口された枠形状（溝形状）の開口部（切欠部）とが設けられていてもよい。つまり、壁体７３は、平面視で略Ｓ字形状を有していてもよい。
【００７２】
また、これら第１風路を形成する開口部（例えば第１開口部７４）および第２風路を形成する開口部（例えば第２開口部７５）の数は、それぞれ少なくとも１つ設けられていれば、特に限定されない。
【００７３】
つまり、壁体７３には、壁体７３の上面から駆動軸５３の軸方向の一方の側面に繋がる第１風路を形成する開口部と、壁体７３の上面から駆動軸５３の軸方向の他方の側面に繋がる第２風路を形成する開口部とが、それぞれ少なくとも１つずつ設けられていればよい。
【００７４】
（変形例２）
また、本実施形態では、上記第１風路を形成する開口部（例えば第１開口部７４）と上記第２風路を形成する開口部（例えば第２開口部７５）とが、平面視で、駆動軸５３に直交する方向に並んで設けられている場合を例に挙げて説明した。しかしながら、これら開口部は、駆動軸５３に直交する隔壁を挟んで、駆動軸５３の軸方向に並んで設けられていてもよい。例えば、壁体７３は、駆動軸５３に直交する隔壁７３ａで分離された２つの開口部を左右に有する、平面視で、Ｉ形状（言い換えれば、横向きのＨ形状）の壁体であってもよい。
【００７５】
（変形例３）
また、本実施形態では、上記第１風路を形成する開口部（例えば第１開口部７４）と上記第２風路を形成する開口部（例えば第２開口部７５）とが、壁体７３の上面（第１吸込み口１１との対向面）から該壁体７３の左側面または右側面にかけて溝状に切り欠かれた切欠部（言い換えれば、溝部）である場合を例に挙げて説明した。しかしながら、これら開口部は、上記形状に限定されるものではなく、例えば、壁体７３の上面から該壁体７３の左側面または右側面にかけてトンネル状に壁体７３を貫通する貫通孔であっても構わない。
【００７６】
〔実施形態２〕
本発明の他の実施形態について、図９乃至図１１の（ａ）〜（ｃ）に基づいて説明すれば、以下の通りである。なお、説明の便宜上、上記実施形態にて説明した部材と同じ機能を有する部材については、同じ符号を付記し、その説明を省略する。
【００７７】
図９は、本実施形態にかかる空気調和機の室内機１を正面方向から見たときの送風機１３の要部の縦断面図である。図１０の（ａ）・（ｂ）は、本実施形態にかかる、モータ本体５２を収容した状態のモータカバー５０の外観を示す図であり、図１０の（ａ）は正面図であり、図１０の（ｂ）は側面図である。図１１の（ａ）〜（ｃ）は、本実施形態にかかる、モータ本体５２を収容した状態のモータカバー５０の外観を示す図であり、図１１の（ａ）は、上記モータカバー５０を右側の端面側から見たときの斜視図であり、図１１の（ｂ）は、上記モータカバー５０を左側の端面側から見たときの斜視図であり、図１１の（ｃ）は、下面図である。なお、図９は、モータカバー５０の第１開口部６４の位置で送風機１３を長手方向に切断したときの送風機１３の要部の縦断面図を示している。図９では、ファンケーシング４７の図示を省略している。
【００７８】
図９乃至図１１の（ａ）〜（ｃ）に示すように、本実施形態にかかる空気調和機の室内機１は、モータカバー５０の形状を除けば、実施形態１にかかる空気調和機の室内機１と同じ構成を有している。本実施形態にかかるモータカバー５０は、実施形態１にかかる下部モータカバー６０と上部モータカバー７０とが、固定部材７７・７８・６７の形状を除いて、上下反転した形状を有している。本実施形態では、上部モータカバー７０に壁体７３が設けられておらず、その代わりに、下部モータカバー６０に壁体６３が設けられている。すなわち、本実施形態にかかる上部モータカバー７０は、モータ収容部７１と、連結部７２と、固定部材７７・７８と、を備えている。本実施形態にかかる下部モータカバー６０は、モータ収容部６１と、連結部６２と、壁体６３と、図示しない固定部材と、を備えている。なお、図１０の（ａ）・（ｂ）および図１１の（ａ）〜（ｃ）では、固定部材７７・７８および下部モータカバー６０側の固定部材の図示を省略している。
【００７９】
本実施形態にかかるモータ収容部７１は、実施形態１にかかるモータ収容部６１と同じ形状を有している。本実施形態にかかるモータ収容部６１は、実施形態１にかかるモータ収容部７１と同じ形状を有している。
【００８０】
なお、モータ収容部６１・７１の構成は、実施形態１にかかるモータ収容部６１・７１の構成と同じである。モータ収容部６１の下面の中央部には、図１１の（ａ）〜（ｃ）に示すように、駆動軸５３に直交する方向に沿って、帯状に開口部６１ｃが設けられている。このため、モータ本体５２の下面の一部は、開口部６１ｃから露出している。また、図示はしないが、モータ収容部６１の上面の中央部には、駆動軸５３に直交する方向に沿って、帯状の開口部７１ｃ（図８の（ａ）〜（ｃ）参照）が設けられている。モータ本体５２の上面の一部は、開口部７１ｃから露出している。
【００８１】
本実施形態にかかる連結部７２は、実施形態１にかかる連結部６２と同じ形状を有している。本実施形態にかかる連結部６２は、実施形態１にかかる連結部７２と同じ形状を有している。
【００８２】
したがって、例えば、上部モータカバー７０は、連結部７２として、例えば、モータ収容部７１から水平に突出し、図示しないネジ穴を有するフリンジ部を有している。下部モータカバー６０は、連結部６２として、例えばネジ山に結合するネジ溝が設けられた筒状部６２ａを有し、モータ収容部６１から水平に突出するフリンジ部を有している。但し、本実施形態はこれに限定されるものではなく、連結部６２・７２は、実施形態１と同じ形状を有していても構わない。
【００８３】
壁体６３は、実施形態１にかかる壁体７３と同じ形状を有している。壁体６３は、モータ収容部６１の下面に、駆動軸５３に直交する方向に沿って、第２吸込み口１２に向かって下方に突出して設けられている。
【００８４】
壁体６３は、第２吸込口１２からキャビネット３０内に吸い込んだ空気の流れを、隣り合う送風ファン４１の一方に向う流れと他方に向う流れとに分離してそれぞれの送風ファン４１に導く分離壁兼導風壁として機能する。また、壁体６３は、モータカバー５０とキャビネット３０とを固定する固定部材として機能する。
【００８５】
壁体６３には、モータカバー５０を正面から見たときの奥行き方向に、該奥行き方向の中央部を境にして手前側の右側面の一部が縦方向に切り欠かれた第１開口部６４と、奥側の左側面の一部が縦方向に切り欠かれた第２開口部６５と、が設けられている。
【００８６】
第１開口部６４と第２開口部６５とは、隔壁６３ａで分離されている。隔壁６３ａは、平面視で駆動軸５３と一直線上に位置するように、駆動軸５３に沿って開口部６１ｃを跨いでいる。このため、第１開口部６４は、隔壁６３ａを挟んで、第２開口部６５よりも、室内機１の前面側に位置している。第２開口部６５は、隔壁６３ａを挟んで、第１開口部６４よりも、室内機１の背面側に位置している。
【００８７】
第１開口部６４は、平面視で、隔壁６３ａを奥側の壁部として、右側面の一部が開口された枠形状（言い換えれば、溝形状）を有している。第２開口部６５は、平面視で、隔壁６３ａを手前側の壁部として、左側面の一部が開口された枠形状（言い換えれば、溝形状）を有している。このため、壁体６３は、平面視で略逆Ｓ字形状を有している。
【００８８】
図９に示すように、第１開口部６４は、駆動軸５３の軸方向において、駆動軸５３の右側に配置された第２送風ファン４１ｂの一方の開口部４４側が開放されている。第２開口部６５は、駆動軸５３の軸方向において、駆動軸５３の左側に配置された第１送風ファン４１ａの一方の開口部４４側が開放されている。なお、第１開口部６４および第２開口部６５は、駆動軸５３の軸方向において、隣り合う送風ファン４１の開口部４４に面していることが、より望ましい。
【００８９】
また、第１開口部６４および第２開口部６５は、縦方向において、室内機本体部２の第２吸込み口１２に面して設けられている。つまり、第１開口部６４および第２開口部６５の下面（つまり、下側の開口端面）は、それぞれ、室内機本体部２の第２吸込み口１２に面して設けられている。
【００９０】
第１開口部６４および第２開口部６５の下面である、第２吸込み口１２側の開口端面は、それぞれ、空気の取込み口として機能する。また、第１開口部６４および第２開口部６５における、各送風ファン４１の開口部４４側の開口端面は、空気の取出口として機能する。
【００９１】
第１開口部６４は、壁体６３の下面（つまり、第２吸込み口１２との対向面）から右側面に繋がる第１風路を形成している。言い換えれば、第１開口部６４は、第２吸込み口１２との対向面に空気の取入口が形成され、一方の送風ファン４１の空気の吸込み口（開口部４４）側に、空気の取出口が形成された第１風路を形成している。
【００９２】
また、第２開口部６５は、壁体６３の下面から左側面に繋がる第２風路を形成している。言い換えれば、第２開口部６５は、第２吸込み口１２との対向面に空気の取入口が形成され、他方の送風ファン４１の空気の吸込み口（開口部４４）側に、空気の取出口が形成された第２風路を形成している。
【００９３】
これにより、第１送風ファン４１ａは、隔壁６３ａの奥側の第２開口部６５を介して第２吸い込み口１２から室内機本体部２内に取り込んだ空気を吸引することが可能となる。また、第２送風ファン４１ｂは、隔壁６３ａの手前側の第１開口部６４を介して第２吸い込み口１２から室内機本体部２内に取り込んだ空気を吸引することが可能となる。
【００９４】
送風ファン４１がファンモータ５１により回転すると、第２吸込み口１２から第２フィルタ１６を介して室内機本体部２に空気が吸い込まれる。第２吸込み口１２から室内機本体部２内に空気が吸い込まれると、モータカバー５０の外部およびファンケーシング４７の外部が正圧となり、モータカバー５０の内部およびファンケーシング４７の内部が負圧となる。
【００９５】
室内機本体部２内に吸い込まれた空気の一部は、モータカバー５０に設けられた第１開口部６４および第２開口部６５からモータカバー５０内に流入し、第１開口部６４内および第２開口部６５内を通って、駆動軸５３に平行な方向の開口部４４から、送風ファン４１に吸い込まれる。また、このとき、第１開口部６４および第２開口部６５から開口部６１ｃを通ってモータカバー５０内に流入した空気により、モータ本体５２が冷却される。ファンケーシング４７内に吸い込まれた空気は、送風ファン４１を構成する多翼ロータ４２の外周面の開口部４５から吹き出される。
【００９６】
なお、下部モータカバー６０の背面および下面並びに上部モータカバー７０の背面および上面には、それぞれ、モータカバー５０を、キャビネット３０に固定するための固定部材が設けられている。これら固定部材としては、例えば、固定部材６７・７７・７８と同様の固定部材を用いることができる。なお、本実施形態でも、これら固定部材の種類および数、並びに、モータカバー５０とキャビネット３０の固定方法は、特に限定されない。
【００９７】
（効果）
上記構成の室内機１によれば、モータカバー５０に、実施形態１にかかる壁体７３に代えて上記壁体６３が設けられていることで、ファンモータ５１の上方のスペースに代えて、ファンモータ５１の下方のスペースを、送風ファン４１の空気の吸い込みに利用することができる。本実施形態によれば、この点を除けば、実施形態１と同じ効果を得ることができる。
【００９８】
〔実施形態３〕
本発明のさらに他の実施形態について、図１２乃至図１４の（ａ）・（ｂ）に基づいて説明すれば、以下の通りである。なお、説明の便宜上、上記実施形態にて説明した部材と同じ機能を有する部材については、同じ符号を付記し、その説明を省略する。
【００９９】
図１２は、本実施形態にかかる空気調和機の室内機１を正面方向から見たときの送風機１３の要部の縦断面図である。図１３の（ａ）・（ｂ）は、本実施形態にかかる、モータ本体５２を収容した状態のモータカバー５０の外観を示す図であり、図１３の（ａ）は正面図であり、図１３の（ｂ）は側面図である。図１４の（ａ）・（ｂ）は、本実施形態にかかる、モータ本体５２を収容した状態のモータカバー５０の外観を示す図であり、図１４の（ａ）は、上記モータカバー５０を右側の端面側から見たときの斜視図であり、図１４の（ｂ）は、上記モータカバー５０を左側の端面側から見たときの斜視図である。なお、図１２は、モータカバー５０の第１開口部６４・７４の位置で送風機１３を長手方向に切断したときの送風機１３の要部の縦断面図を示している。図１２では、ファンケーシング４７の図示を省略している。
【０１００】
図１２乃至図１４の（ａ）・（ｂ）に示すように、本実施形態にかかる空気調和機の室内機１は、モータカバー５０における下部モータカバー６０の形状を除けば、実施形態１にかかる空気調和機の室内機１と同じ構成を有している。本実施形態にかかる上部モータカバー７０は、モータ収容部７１と、連結部７２と、壁体７３と、固定部材７７・７８と、を備えている。本実施形態にかかる下部モータカバー６０は、モータ収容部６１と、連結部６２と、壁体６３と、後述する、図示しない固定部材と、を備えている。
【０１０１】
本実施形態にかかる上部モータカバー７０は、実施形態１にかかる上部モータカバー７０と同じ形状を有している。本実施形態にかかる下部モータカバー６０は、連結部６２の形状を除けば、実施形態２にかかる下部モータカバー６０と同じ形状を有している。このため、本実施形態にかかるモータ収容部７１および壁体７３とモータ収容部６１および壁体６３とは、モータ収容部７１とモータ収容部６１との境界面（接触面）を中心して面対称に形成されている。
【０１０２】
図示を省略しているが、本実施形態にかかる、モータ本体５２を収容した状態のモータカバー５０の上面図は、図８の（ｃ）と同じであり、本実施形態にかかる、モータ本体５２を収容した状態のモータカバー５０の下面図は、図１１の（ｃ）と同じである。
【０１０３】
なお、図１３の（ａ）〜（ｃ）および図１４の（ａ）・（ｂ）では、本実施形態にかかる連結部７２が実施形態１にかかる連結部７２と同じ形状を有し、本実施形態にかかる連結部６２が実施形態１にかかる連結部６２と同じ形状を有している場合を例に挙げて図示している。しかしながら、本実施形態は、これに限定されるものではなく、本実施形態にかかる連結部７２が実施形態１にかかる連結部６２と同じ形状を有し、本実施形態にかかる連結部６２が実施形態１にかかる連結部７２と同じ形状を有していてもよい。つまり、本実施形態にかかるモータカバー５０は、下部モータカバー６０が、実施形態２にかかる下部モータカバー６０と同じ形状を有し、上部モータカバー７０が、連結部７２の形状を除いて実施形態１にかかる上部モータカバー７０と同じ形状を有していてもよい。
【０１０４】
なお、図示はしないが、本実施形態でも、下部モータカバー６０の背面および下面には、それぞれ、モータカバー５０を、キャビネット３０に固定するための固定部材が設けられている。これら固定部材としては、例えば、固定部材６７・７７・７８と同様の固定部材を用いることができる。なお、本実施形態でも、これら固定部材の種類および数、並びに、モータカバー５０とキャビネット３０の固定方法は、特に限定されない。
【０１０５】
（効果）
上記構成の室内機１によれば、モータカバー５０に、上記壁体６３・７３が設けられていることで、ファンモータ５１の上方および下方のスペースを、それぞれ送風ファン４１の空気の吸い込みに利用することができる。本実施形態によれば、この点を除けば、実施形態１、２と同じ効果を得ることができる。
【０１０６】
〔まとめ〕
本発明の態様１にかかる空気調和機の室内機１は、空気を吸込む吸込み口（第１吸込み口１１・１２）を少なくとも１つ有する筐体（キャビネット３０）内に、左右方向に複数配列された遠心ファン（送風ファン４１）と、上記遠心ファンを回転駆動させる駆動軸５３を左右に有し、隣り合う遠心ファン間に配置されたモータ（ファンモータ５１）と、上記モータの外周面の一部を覆うモータカバー５０と、を備え、上記モータカバー５０は、上記吸込み口に向かって突出して設けられた壁体（壁体６３・７３）を少なくとも１つ有し、上記壁体は、上記吸込み口との対向面から上記駆動軸５３の軸方向の一方の側面に繋がる風路を形成する第１開口部（第１開口部６４・７４）と、上記第１開口部と隔壁で分離され、上記吸込み口との対向面から上記駆動軸５３の軸方向の他方の側面に繋がる風路を形成する第２開口部（第２開口部６５・７５）と、を有している。
【０１０７】
本発明の態様２にかかる空気調和機の室内機１は、上記態様１において、上記第１開口部は、上記壁体における上記吸込み口との対向面から上記駆動軸５３の軸方向の一方の側面にかけて切り欠かれた切欠部であり、上記第２開口部は、上記壁体における上記吸込み口との対向面から上記駆動軸５３の軸方向の他方の側面にかけて切り欠かれた切欠部であってもよい。
【０１０８】
本発明の態様３にかかる空気調和機の室内機１は、上記態様１または２において、上記第１開口部および上記第２開口部は、上記駆動軸５３に直交する方向に並んで設けられていてもよい。
【０１０９】
本発明の態様４にかかる空気調和機の室内機１は、上記態様３において、上記第１開口部は、上記モータカバー５０を正面から見たときの奥行き方向に、上記駆動軸５３よりも前方に少なくとも１つ形成されており、上記第２開口部は、上記モータカバー５０を正面から見たときの奥行き方向に、上記駆動軸５３よりも後方に少なくとも１つ形成されていてもよい。
【０１１０】
本発明の態様５にかかる空気調和機の室内機１は、上記態様１〜４の何れかにおいて、上記吸込み口は、上記筐体の上面部３１および下面部３３の少なくとも一方に形成されており、上記壁体は、上記モータカバー５０の上部および下部の少なくとも一方に形成されていてもよい。
【０１１１】
本発明の態様６にかかる空気調和機の室内機１は、上記態様１〜４の何れかにおいて、上記吸込み口は、上記筐体の上面部３１および下面部３３にそれぞれ形成されており、上記壁体は、上記モータカバー５０の上部および下部にそれぞれ形成されていてもよい。
【０１１２】
本発明の態様７にかかる空気調和機の室内機１は、上記態様１〜６の何れかにおいて、上記壁体に、上記モータカバー５０を上記筐体に固定する固定部材（固定部材７７・７８）が設けられていてもよい。
【０１１３】
本発明の態様８にかかる空気調和機の室内機１は、上記態様１〜７の何れかにおいて、上記モータは、上記駆動軸５３の周囲に防振材（防振ゴム５４）を備え、上記モータカバー５０は、上記モータの上半分の一部を覆う上部モータカバー７０と、上記モータの下半分の一部を覆う下部モータカバー６０と、を備え、上記上部モータカバー７０と上記下部モータカバー６０とで上記防振材を挟み込むことで、上記防振材とのみ接触した状態で上記モータを支持していてもよい。
【０１１４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１１５】
１    室内機
２    室内機本体部
１１    第１吸込口
１２    第２吸込口
１３    送風機
３０    キャビネット（筐体）
３１    上面部
３２    背面部
３３    下面部
４１    送風ファン（遠心ファン）
４１ａ  第１送風ファン（遠心ファン）
４１ｂ  第２送風ファン（遠心ファン）
４４、４５、４８、６１ｃ、７１ｃ    開口部
５０    モータカバー
５１    ファンモータ（モータ）
５２    モータ本体
５３    駆動軸
５４    防振ゴム（防振材）
６０    下部モータカバー
６１・７１    モータ収容部
６１ａ・７１ａ    凹部
６１ｂ・７１ｂ    切欠部
６２・７２    連結部
６３・７３    壁体
６３ａ・７３ａ    隔壁
６４・７４    第１開口部
６５・７５    第２開口部
６７・７７・７８    固定部材
７０    上部モータカバー
【図１】
2019087421.tif 000003
【図２】
2019087421.tif 000004
【図３】
2019087421.tif 000005
【図４】
2019087421.tif 000006
【図５】
2019087421.tif 000007
【図６】
2019087421.tif 000008
【図７】
2019087421.tif 000009
【図８】
2019087421.tif 000010
【図９】
2019087421.tif 000011
【図１０】
2019087421.tif 000012
【図１１】
2019087421.tif 000013
【図１２】
2019087421.tif 000014
【図１３】
2019087421.tif 000015
【図１４】
2019087421.tif 000016
【国際調査報告】
2019087421.tif 000017
2019087421.tif 000018